(57)【要約】      （修正有）【課題】  少なくとも互いに所定の間隔を置いて配置される２枚のレンズを心ずれや軸倒れを生じること無しに配置する。【解決手段】  それぞれ周縁部に保持用の保持縁１ａ、２ａを有する第１レンズ１及び第２レンズ２と、これら２枚レンズを嵌合保持するレンズ保持枠１０と、上記２枚のレンズの間の間隔を規定するカラー２０とを備え、上記レンズ保持枠形成された円柱状のレンズ室１１２の一端部に内方へ突出したレンズ受け面１１１ａが周方向にほぼ等間隔に間隔を置いて３個以上形成されると共に、３個以上の荷重受け面１１１ｃが上記レンズ受け面のほぼ裏側に形成され、上記レンズ保持枠の他端側から見える位置に位置決め目印１１３が形成され、環状を為すカラーの両端にそれぞれ３個以上のレンズ受け縁２２ｒ、２２ｆが軸方向に突出され、上記レンズ受け縁の周方向への形成間隔は上記レンズ受け面とほぼ同じとされ、上記カラーには、位置決め標識２１を有する。【選択図】図４
2006162696.tif 000002
【特許請求の範囲】
【請求項１】
少なくとも２枚のレンズを光軸方向に所定の間隔を置いて配置且つ保持するレンズ保持構造であって、
それぞれ周縁部に保持用の保持縁を有する第１レンズ及び第２レンズと、これら２枚のレンズを嵌合保持するレンズ保持枠と、上記２枚のレンズの間の間隔を規定するカラーとを備え、
上記レンズ保持枠はほぼ円柱状を為すレンズ室を有し、レンズ保持枠の一端部又は一端寄りの位置において、該レンズ室の内周面から内方へ突出したレンズ受け面が周方向にほぼ等間隔に間隔を置いて３個以上形成されると共に、レンズ保持枠の一端より突出した３個以上の荷重受け面が上記レンズ受け面のほぼ裏側に形成され、
上記レンズ保持枠の他端側から見える位置に位置決め目印が形成され、
上記カラーは環状に形成されると共に、両端にそれぞれ３個以上のレンズ受け縁が軸方向に突出され、上記レンズ受け縁の周方向への形成間隔は上記レンズ受け面とほぼ同じとされ、
上記カラーには、そのレンズ受け縁と上記レンズ受け面との位置が周方向において一致したときに上記位置決め目印と周方向において位置が一致する位置決め標識が形成され、
上記レンズ保持枠のレンズ室に上記第１レンズ、上記カラー、上記第２レンズが同じ方向から挿入され、上記カラーの位置決め標識と上記レンズ保持枠の位置決め目印との位置が周方向において一致した状態で、上記第１レンズの保持縁が上記レンズ保持枠のレンズ受け面と上記カラーの一方のレンズ受け縁との間で挟持され、上記第２レンズの保持縁の一方の面が上記カラーの他方のレンズ受け縁に当接した状態で、上記第１レンズ及び第２レンズがレンズ保持枠に支持される
ことを特徴とするレンズ保持構造。
【請求項２】
上記レンズ保持枠の他端部に周方向における位置が上記レンズ受け面の周方向における位置と一致した３個以上のカシメ片が形成され、
上記第２レンズの保持縁の他方の面上にカシメ付けられた上記カシメ片と上記カラーの他方のレンズ受け縁とによって上記第２レンズの保持縁が保持される
ことを特徴とする請求項１に記載のレンズ保持構造。
【請求項３】
上記レンズ保持枠の前端面のうち隣接するレンズ受け面の間の位置に相当する位置に上記位置決め目印とされる凹部がレンズ室の内周面に開口して形成され、
上記凹部内に充填された接着剤によって上記第２レンズが保持枠に固定される
ことを特徴とする請求項１に記載のレンズ保持構造。
【請求項４】
上記レンズ保持枠の他端部に周方向における位置が上記レンズ受け面の周方向における位置と一致した３個以上のカシメ片が形成され、
上記レンズ保持枠の前端面のうち隣接するレンズ受け面の間の位置に相当する位置に上記位置決め目印とされる凹部がレンズ室の内周面に開口して形成された
ことを特徴とする請求項１に記載のレンズ保持構造。
【請求項５】
撮影レンズと、上記撮影レンズによって形成された光学像を電気的な信号に変換する撮像素子とを備えた撮像装置であって、
上記撮影レンズを構成するレンズのうち少なくとも２枚のレンズ（一方のレンズを「第１レンズ」と称し、他方のレンズを「第２レンズ」と称する）が光軸方向に所定の間隔を置いて配置され、
上記第１レンズ及び第２レンズはそれぞれ周縁部に保持用の保持縁を有していて、カラーによって間隔を規定された状態でレンズ保持枠に保持され、
上記レンズ保持枠はほぼ円柱状を為すレンズ室を有し、レンズ保持枠の一端部又は一端寄りの位置において、該レンズ室の内周面から内方へ突出したレンズ受け面が周方向にほぼ等間隔に間隔を置いて３個以上形成されると共に、レンズ保持枠の一端より突出した３個以上の荷重受け面が上記レンズ受け面のほぼ裏側に形成され、
上記レンズ保持枠の他端側から見える位置に位置決め目印が形成され、
上記カラーは環状に形成されると共に、両端にそれぞれ３個以上のレンズ受け縁が軸方向に突出され、上記レンズ受け縁の周方向への形成間隔は上記レンズ受け面とほぼ同じとされ、
上記カラーには、そのレンズ受け縁と上記レンズ受け面との位置が周方向において一致したときに上記位置決め目印と周方向において位置が一致する位置決め標識が形成され、
上記レンズ保持枠のレンズ室に上記第１レンズ、上記カラー、上記第２レンズが同じ方向から挿入され、上記カラーの位置決め標識と上記レンズ保持枠の位置決め目印との位置が周方向において一致した状態で、上記第１レンズの保持縁が上記レンズ保持枠のレンズ受け面と上記カラーの一方のレンズ受け縁との間で挟持され、上記第２レンズの保持縁の一方の面が上記カラーの他方のレンズ受け縁に当接した状態で、上記第１レンズ及び第２レンズがレンズ保持枠に支持される
ことを特徴とする撮像装置。
【請求項６】
上記レンズ保持枠の他端部に周方向における位置が上記レンズ受け面の周方向における位置と一致した３個以上のカシメ片が形成され、
上記第２レンズの保持縁の他方の面上にカシメ付けられた上記カシメ片と上記カラーの他方のレンズ受け縁とによって上記第２レンズの保持縁が保持される
ことを特徴とする請求項５に記載の撮像装置。
【請求項７】
上記レンズ保持枠の前端面のうち隣接するレンズ受け面の間の位置に相当する位置に上記位置決め目印とされる凹部がレンズ室の内周面に開口して形成され、
上記凹部内に充填された接着剤によって上記第２レンズがレンズ保持枠に固定される
ことを特徴とする請求項５に記載の撮像装置。
【請求項８】
上記レンズ保持枠の他端部に周方向における位置が上記レンズ受け面の周方向における位置と一致した３個以上のカシメ片が形成され、
上記レンズ保持枠の前端面のうち隣接するレンズ受け面の間の位置に相当する位置に上記位置決め目印とされる凹部がレンズ室の内周面に開口して形成された
ことを特徴とする請求項５に記載の撮像装置。
【発明の詳細な説明】
【技術分野】
【０００１】
本発明は新規なレンズ保持構造及び撮像装置に関する。詳しくは、少なくとも互いに所定の間隔を置いて配置される２枚のレンズを心ずれや軸倒れを生じること無しに配置する技術に関する。
【背景技術】
【０００２】
カメラ、望遠鏡、双眼鏡等の光学機器において、レンズ系を構成するレンズを心ずれや軸倒れを生じること無しに配置することは、所定の光学性能を得る上で重要である。
【０００３】
ところで、２枚のレンズを所定の間隔を置いて配置する場合、２枚のレンズの間に所望の間隔を規定するための何らかのスペーサを介在させることが一般的に行われている。
【０００４】
例えば、特許文献１に示されたレンズ保持構造にあっては、ほぼ円筒状のレンズホルダーの内周面にスペーサとなる突起を一体に形成し、該スペーサ用突起を２枚のレンズの間に介在させることによって、２枚のレンズの間の間隔を所定の値に規定するようになっている。このような特許文献１に示されたレンズ保持構造の基本原理を、本発明との関係で分かり易く、図１１に示す。
【０００５】
ａはほぼ円筒状に形成されたレンズホルダーであり、合成樹脂の射出成形によって形成されている。レンズホルダーａの内周面ｂにはスペーサ用の突起ｃが突設されている。また、レンズホルダーａの両端部にはカシメ片ｄ、ｅが形成されている。
【０００６】
２枚のレンズｆ、ｇはそれぞれ周縁部に保持縁ｆ′、ｇ′が形成されている。そして、レンズｆはスペーサ用突起ｃによって区画された一方のレンズ室ｈ内に矢印Ａ方向から挿入され、また、レンズｇはスペーサ用突起ｃによって区画された他方のレンズ室ｉ内に矢印Ｂ方向から挿入される。そして、各レンズｆ、ｇの保持縁ｆ′、ｇ′がスペーサ用突起ｃのそれぞれ反対側の面に当接した状態で、カシメ片ｄ、ｅを、例えば、熱カシメによって図１１に２点鎖線で示すように、各レンズｆ、ｇの保持縁ｆ′、ｇ′のそれぞれスペーサ用突起ｃに当接している面と反対側の面の上にカシメ付け、これによって、各レンズｆ、ｇはそれぞれの保持縁ｆ′、ｇ′がスペーサ用突起ｃとカシメ片ｄ、ｅとによって挟持された状態でレンズホルダーａに保持され、且つ、各レンズｆとｇとの間の間隔がスペーサ用突起ｃによって所定の値に規定される。
【０００７】
【特許文献１】特開平８−５４５５２号公報
【発明の開示】
【発明が解決しようとする課題】
【０００８】
ところで、上記した特許文献１に示されたレンズ保持構造にあっては、２つのレンズｆ、ｇの間で心ずれが発生する惧がある。
【０００９】
上記レンズホルダーａのように、円筒状部分の内周面に突出した突起（スペーサ用突起ｃ）を挟んで２つの空間（レンズ室ｈ、ｉ）が存在する部材を射出成形する場合、型の抜き方向の関係からパーティングラインをスペーサ用突起ｃの一方のレンズ当接面に沿う面に設定して、２つの空間ｈ、ｉはそれぞれ別の型（固定型と可動型）に形成された部分によって形成される。このことは、２つの空間ｈ、ｉの成形に寄与する金型部分の切削は、それぞれ別個に行われることを意味し、上記２つの金型部分の軸心を一致させることは至難の業である。そのため、２つの空間（レンズ室ｈ、ｉ）の間に各別に配置されるレンズｆ、ｇに心ずれが生じる惧れが大である。
【００１０】
そこで、本発明は、上記した問題に鑑み、少なくとも互いに所定の間隔を置いて配置される２枚のレンズを心ずれや軸倒れを生じること無しに配置することを課題とする。
【課題を解決するための手段】
【００１１】
本発明レンズ保持構造は、上記した課題を解決するために、それぞれ周縁部に保持用の保持縁を有する第１レンズ及び第２レンズと、これら２枚のレンズを嵌合保持するレンズ保持枠と、上記２枚のレンズの間の間隔を規定するカラーとを備え、上記レンズ保持枠はほぼ円柱状を為すレンズ室を有し、レンズ保持枠の一端部又は一端寄りの位置において、該レンズ室の内周面から内方へ突出したレンズ受け面が周方向にほぼ等間隔に間隔を置いて３個以上形成されると共に、レンズ保持枠の一端より突出した３個以上の荷重受け面が上記レンズ受け面のほぼ裏側に形成され、上記レンズ保持枠の他端側から見える位置に位置決め目印が形成され、上記カラーは環状に形成されると共に、両端にそれぞれ３個以上のレンズ受け縁が軸方向に突出され、上記レンズ受け縁の周方向への形成間隔は上記レンズ受け面とほぼ同じとされ、上記カラーには、そのレンズ受け縁と上記レンズ受け面との位置が周方向において一致したときに上記位置決め目印と周方向において位置が一致する位置決め標識が形成され、上記レンズ保持枠のレンズ室に上記第１レンズ、上記カラー、上記第２レンズが同じ方向から挿入され、上記カラーの位置決め標識と上記レンズ保持枠の位置決め目印との位置が周方向において一致した状態で、上記第１レンズの保持縁が上記レンズ保持枠のレンズ受け面と上記カラーの一方のレンズ受け縁との間で挟持され、上記第２レンズの保持縁の一方の面が上記カラーの他方のレンズ受け縁に当接した状態で、上記第１レンズ及び第２レンズがレンズ保持枠に支持される。
【００１２】
また、本発明撮像装置は、上記した課題を解決するために、撮影レンズと、上記撮影レンズによって形成された光学像を電気的な信号に変換する撮像素子とを備え、上記撮影レンズを構成するレンズのうち少なくとも２枚のレンズ（一方のレンズを「第１レンズ」と称し、他方のレンズを「第２レンズ」と称する）が光軸方向に所定の間隔を置いて配置され、上記第１レンズ及び第２レンズはそれぞれ周縁部に保持用の保持縁を有していて、カラーによって間隔を規定された状態でレンズ保持枠に保持され、上記レンズ保持枠はほぼ円柱状を為すレンズ室を有し、レンズ保持枠の一端部又は一端寄りの位置において、該レンズ室の内周面から内方へ突出したレンズ受け面が周方向にほぼ等間隔に間隔を置いて３個以上形成されると共に、レンズ保持枠の一端より突出した３個以上の荷重受け面が上記レンズ受け面のほぼ裏側に形成され、上記レンズ保持枠の他端側から見える位置に位置決め目印が形成され、上記カラーは環状に形成されると共に、両端にそれぞれ３個以上のレンズ受け縁が軸方向に突出され、上記レンズ受け縁の周方向への形成間隔は上記レンズ受け面とほぼ同じとされ、上記カラーには、そのレンズ受け縁と上記レンズ受け面との位置が周方向において一致したときに上記位置決め目印と周方向において位置が一致する位置決め標識が形成され、上記レンズ保持枠のレンズ室に上記第１レンズ、上記カラー、上記第２レンズが同じ方向から挿入され、上記カラーの位置決め標識と上記レンズ保持枠の位置決め目印との位置が周方向において一致した状態で、上記第１レンズの保持縁が上記レンズ保持枠のレンズ受け面と上記カラーの一方のレンズ受け縁との間で挟持され、上記第２レンズの保持縁の一方の面が上記カラーの他方のレンズ受け縁に当接した状態で、上記第１レンズ及び第２レンズがレンズ保持枠に支持される。
【００１３】
従って、本発明にあっては、レンズ保持枠のレンズ受け面と荷重受け面及びカラーの両端に形成されたレンズ受け縁が軸方向に整列された状態で、２枚のレンズがカラーによって互いの間隔を規定された状態でレンズ保持枠の唯一のレンズ室内に保持される。
【発明の効果】
【００１４】
本発明レンズ保持構造は、少なくとも２枚のレンズを光軸方向に所定の間隔を置いて配置且つ保持するレンズ保持構造であって、それぞれ周縁部に保持用の保持縁を有する第１レンズ及び第２レンズと、これら２枚のレンズを嵌合保持するレンズ保持枠と、上記２枚のレンズの間の間隔を規定するカラーとを備え、上記レンズ保持枠はほぼ円柱状を為すレンズ室を有し、レンズ保持枠の一端部又は一端寄りの位置において、該レンズ室の内周面から内方へ突出したレンズ受け面が周方向にほぼ等間隔に間隔を置いて３個以上形成されると共に、レンズ保持枠の一端より突出した３個以上の荷重受け面が上記レンズ受け面のほぼ裏側に形成され、上記レンズ保持枠の他端側から見える位置に位置決め目印が形成され、上記カラーは環状に形成されると共に、両端にそれぞれ３個以上のレンズ受け縁が軸方向に突出され、上記レンズ受け縁の周方向への形成間隔は上記レンズ受け面とほぼ同じとされ、上記カラーには、そのレンズ受け縁と上記レンズ受け面との位置が周方向において一致したときに上記位置決め目印と周方向において位置が一致する位置決め標識が形成され、上記レンズ保持枠のレンズ室に上記第１レンズ、上記カラー、上記第２レンズが同じ方向から挿入され、上記カラーの位置決め標識と上記レンズ保持枠の位置決め目印との位置が周方向において一致した状態で、上記第１レンズの保持縁が上記レンズ保持枠のレンズ受け面と上記カラーの一方のレンズ受け縁との間で挟持され、上記第２レンズの保持縁の一方の面が上記カラーの他方のレンズ受け縁に当接した状態で、上記第１レンズ及び第２レンズがレンズ保持枠に支持されることを特徴とする。
【００１５】
また、本発明撮像装置は、撮影レンズと、上記撮影レンズによって形成された光学像を電気的な信号に変換する撮像素子とを備えた撮像装置であって、上記撮影レンズを構成するレンズのうち少なくとも２枚のレンズ（一方のレンズを「第１レンズ」と称し、他方のレンズを「第２レンズ」と称する）が光軸方向に所定の間隔を置いて配置され、上記第１レンズ及び第２レンズはそれぞれ周縁部に保持用の保持縁を有していて、カラーによって間隔を規定された状態でレンズ保持枠に保持され、上記レンズ保持枠はほぼ円柱状を為すレンズ室を有し、レンズ保持枠の一端部又は一端寄りの位置において、該レンズ室の内周面から内方へ突出したレンズ受け面が周方向にほぼ等間隔に間隔を置いて３個以上形成されると共に、レンズ保持枠の一端より突出した３個以上の荷重受け面が上記レンズ受け面のほぼ裏側に形成され、上記レンズ保持枠の他端側から見える位置に位置決め目印が形成され、上記カラーは環状に形成されると共に、両端にそれぞれ３個以上のレンズ受け縁が軸方向に突出され、上記レンズ受け縁の周方向への形成間隔は上記レンズ受け面とほぼ同じとされ、上記カラーには、そのレンズ受け縁と上記レンズ受け面との位置が周方向において一致したときに上記位置決め目印と周方向において位置が一致する位置決め標識が形成され、上記レンズ保持枠のレンズ室に上記第１レンズ、上記カラー、上記第２レンズが同じ方向から挿入され、上記カラーの位置決め標識と上記レンズ保持枠の位置決め目印との位置が周方向において一致した状態で、上記第１レンズの保持縁が上記レンズ保持枠のレンズ受け面と上記カラーの一方のレンズ受け縁との間で挟持され、上記第２レンズの保持縁の一方の面が上記カラーの他方のレンズ受け縁に当接した状態で、上記第１レンズ及び第２レンズがレンズ保持枠に支持されることを特徴とする。
【００１６】
従って、本発明にあっては、レンズ保持枠は唯一のレンズ室を有するので、２枚のレンズが保持されるレンズ室は単一の軸を有する。そのため、２枚のレンズの間で心ずれが起きる惧はない。
【００１７】
また、２枚のレンズは、レンズ保持枠のレンズ受け面と荷重受け面及びカラーの両端に形成されたレンズ受け縁が軸方向に整列された状態で保持されるため、第２レンズの保持縁のうちレンズ受け面に対応した箇所をレンズ受け面の方向へ押圧すれば、該押圧力が第２レンズの保持縁、カラーの他方のレンズ受け縁、カラーの一方のレンズ受け縁、レンズ保持枠のレンズ受け面の順に及び、最後にレンズ保持枠の荷重受け面によって受けられるので、レンズ保持枠のレンズ受け面と第１レンズの保持縁の一方の面の間、第１レンズの保持縁の他方の面とカラーの一方のレンズ受け縁との間、カラーの他方のレンズ受け縁と第２レンズの保持縁の一方の面との間が密着し、これによって、２枚のレンズの軸倒れが回避される。
【００１８】
請求項２及び請求項６に記載した発明にあっては、上記レンズ保持枠の他端部に周方向における位置が上記レンズ受け面の周方向における位置と一致した３個以上のカシメ片が形成され、上記第２レンズの保持縁の他方の面上にカシメ付けられた上記カシメ片と上記カラーの他方のレンズ受け縁とによって上記第２レンズの保持縁が保持されるので、第２レンズを保持する構造が簡単である。
【００１９】
請求項３及び請求項７に記載した発明にあっては、上記レンズ保持枠の前端面のうち隣接するレンズ受け面の間の位置に相当する位置に上記位置決め目印とされる凹部がレンズ室の内周面に開口して形成され、上記凹部内に充填された接着剤によって上記第２レンズがレンズ保持枠に固定されるので、簡単な設備で２枚のレンズを保持することができる。
【００２０】
請求項４及び請求項８に記載した発明にあっては、上記レンズ保持枠の他端部に周方向における位置が上記レンズ受け面の周方向における位置と一致した３個以上のカシメ片が形成され、上記レンズ保持枠の前端面のうち隣接するレンズ受け面の間の位置に相当する位置に上記位置決め目印とされる凹部がレンズ室の内周面に開口して形成されたので、２枚のレンズの保持を、所望に応じて、カシメ及び／又は接着により行うことができる。
【発明を実施するための最良の形態】
【００２１】
以下に、本発明レンズ保持構造及び撮像装置を実施するための最良の形態を添付図面を参照して説明する。
【００２２】
まず、図１乃至図８によってレンズ保持構造について説明する。
【００２３】
図示したレンズ保持構造は、２枚のレンズ、すなわち、第１レンズ１及び第２レンズ２を保持する構造であり、レンズ保持枠１０及びカラー２０を備える。
【００２４】
上記２つのレンズ１、２はその外周部に保持縁１ａ、２ａが円環状に形成されている。
【００２５】
レンズ保持枠１０は合成樹脂の射出成形によって形成され、ほぼ円筒状を為すレンズ保持部１１とレンズ保持部１１の外周面から側方へ張り出した板状部分１２と板状部分１２の外側部の一部から上記レンズ保持部１１と同軸に延びる筒状のガイド筒１３とが一体に形成されて成り、板状部分１２の外側部のうちレンズ保持部１１を挟んでガイド筒１３と反対側に位置する部分にガイド用切欠１４が形成されている。
【００２６】
上記レンズ保持部１１の後端（各図面において前方は矢印Ｆ方向であり、後方は矢印Ｒ方向である）には内方へ突出した内フランジ１１１が形成されている。これによって、レンズ保持部１１の内側に前端が開放され後端が内フランジ１１１で限定されたレンズ室１１２が形成される。
【００２７】
上記内フランジ１１１の前面には周方向に等間隔に３つのレンズ受け面１１１ａ、１１１ａ、１１１ａが形成されている。これらレンズ受け面１１１ａ、１１１ａ、１１１ａは周方向に等間隔に形成されているので、それぞれ中心角（レンズ保持部１１の軸心を中心とした角度）で１２０°離間して位置している。そして、これらレンズ受け面１１１ａ、１１１ａ、１１１ａはレンズ保持部１１の軸心ｘ−ｘに対して垂直を為す同一の平面内に位置している。また、これらレンズ受け面１１１ａ、１１１ａ、１１１ａの間に位置した補助面１１１ｂ、１１１ｂ、１１１ｂはレンズ受け面１１１ａ、１１１ａ、１１１ａより僅かに後方に位置している。さらに、上記内フランジ１１の後面には３つの荷重受け面１１１ｃ、１１１ｃ、１１１ｃが突出されており、これら荷重受け面１１１ｃ、１１１ｃ、１１１ｃはレンズ保持部１１の軸方向に見て周方向における位置が上記レンズ受け面１１１ａ、１１１ａ、１１１ａの周方向における位置と一致している。また、レンズ受け面１１１ａ、１１１ａ、１１１ａと荷重受け面１１１ｃ、１１１ｃ、１１１ｃとはレンズ保持部１１の軸心ｘ−ｘを中心とする半径方向における位置がほぼ一致している。
【００２８】
なお、この明細書で「周方向における位置が一致する」とは、複数の対象の周方向における中央の部分の周方向における位置が一致していることを意味し、複数の対象が同じ大きさ及び同じ形状を有していることを意味するものではない。
【００２９】
上記レンズ保持部１１の前端面には周方向に等間隔に離間して３つの凹部１１３、１１３、１１３が形成されている。これら凹部１１３、１１３、１１３はレンズ室１１２の内周面に開口され、且つ、上記レンズ受け面１１１ａ、１１１ａ、１１１ａの隣接するもの同士の間の位置に対応して形成されることによって位置決め目印とされる。レンズ保持部１１の内周面１１ａの径は上記レンズ１、２の外径とほぼ同じに形成されている。すなわち、レンズ保持部１１の内周面１１ａにレンズ１、２の外周面がガタの無い状態で接触するようになっている。なお、レンズ保持枠１０は射出成形によって形成されるため、レンズ保持部１１の内周面１１ａの径は成形上必要とされる抜き勾配によって開口側、すなわち、前端側が後端側に比較して大きくされている。そのため、より前側に配置される第２レンズ２の外径の方がより後側に配置される第１レンズ１の外径より僅かに大きくされている。
【００３０】
上記レンズ保持部１１の前端には、周方向にほぼ等間隔に配置された３つのカシメ片１１４、１１４、１１４が前方へ向けて突設されている。これらカシメ片１１４、１１４、１１４の周方向における位置は、上記レンズ受け面１１１ａ、１１１ａ、１１１ａの周方向における位置と一致している。なお、カシメ片１１４、１１４、１１４の周方向における長さはレンズ受け面１１１ａ、１１１ａ、１１１ａの周方向における長さと一致させる必要はないが、本実施の形態におけるように、カシメ片１１４、１１４、１１４の周方向における長さをレンズ受け面１１１ａ、１１１ａ、１１１ａの周方向における長さと一致させることが、レンズ１、２のより確実な保持という観点から、好ましい。
【００３１】
２枚のレンズ１、２はカラー２０によって互いの間隔を規定される。カラー２０は合成樹脂の射出成形によってほぼ環状に形成され、その外径はレンズ保持枠１０のレンズ保持部１１の内周面１１ａの内径とほぼ同じに形成されている。カラー２０の前後両端縁のそれぞれに周方向にほぼ等間隔に位置した３個の切欠２１、２１、・・・が形成される。そして、上記切欠２１、２１、・・・は、カラー２０をレンズ保持枠１０のレンズ保持部１１と同軸に整列させた状態で、凹溝１１３、１１３、１１３と周方向における位置が一致し、位置決め標識とされる。そして、カラー２０の両端縁の上記切欠２１、２１、・・・の間の部分２２ｒ、２２ｒ、２２ｒ、２２ｆ、２２ｆ、２２ｆはレンズ受け縁とされる。
【００３２】
上記レンズ保持枠１０への２枚のレンズ１、２の保持は以下に示すようにされる。
【００３３】
まず、第１レンズ１を前側からレンズ保持枠１０のレンズ室１１２内に挿入する。そして、第１レンズ１の保持縁１ａの後面１ｂがレンズ保持枠１０のレンズ受け面１１１ａ、１１１ａ、１１１ａ上に載置される。なお、２枚のレンズ１、２をレンズ保持枠１０へ保持させる作業はレンズ保持枠１０の前端を上向きにした状態で行われる。
【００３４】
次いで、カラー２０をレンズ室１１２内に挿入する。このとき、目視により、カラー２０の切欠２１、２１、２１の周方向における位置がレンズ保持部１１の前端面に形成された凹部１１３、１１３、１１３の周方向における位置と一致するようにする。これによって、カラー２０のレンズ受け縁２２ｒ、２２ｒ、２２ｒの周方向における位置が上記レンズ受け面１１１ａ、１１１ａ、１１１ａの周方向における位置と一致した状態で、カラー２０のレンズ受け縁２２ｒ、２２ｒ、２２ｒが第１レンズ１の保持縁１ａの前面１ｃに当接する。
【００３５】
次いで、第２レンズ２をレンズ室１１２内に挿入する。これによって、第２レンズ２の後面２ｂがカラー２０のレンズ受け縁２２ｆ、２２ｆ、２２ｆに当接する。
【００３６】
最後に、レンズ保持部１１のカシメ片１１４、１１４、１１４を第２レンズ２の保持縁２ａの前面２ｃにカシメ付ける。図８に示すように、熱カシメ治具の押圧部３０（３つのカシメ片１１４、１１４、１１４に対応して、熱カシメ治具は３個の押圧部３０、３０、３０を有するが、図では１個のみ示す）が加熱された状態で、下降してきて、その下端面３１によってカシメ片１１４及び第２レンズ２の保持縁２ａの前面２ｃを押圧する。すなわち、下端面３１には凹曲面部３１１と該凹曲面部３１１の内側（中心寄り）に連続した押圧突起３１２とが形成されており、凹曲面３１１は外側から内側に向かって高くなるように傾斜した傾斜部３１１ａと該傾斜部３１１ａの外側に連続し山形に湾曲した湾曲部３１１ｂとから成り、該湾曲部３１１ｂの内端に連続して押圧突起３１２が形成されている。そして、上記傾斜部３１１ａの外端部は押圧突起３１２より下方に位置している。従って、熱カシメ治具の押圧部３０が下降してくると、先ず、傾斜部３１１ａがカシメ片１１４に外側から当接するため、カシメ片１１４は内側に倒れる力を受けると同時に加熱軟化されるため、カシメ片１１４の先端部が内側に倒れていく。そして、最後には、湾曲部３１１ｂによって形状を整えられて第２レンズ２の保持縁２ａの前面２ｃに覆い被さる（第２レンズ２の保持縁２ａの前面２ｃにカシメ付けられたカシメ片１１４を図８に梨地を付して示す）と同時に、押圧突起３１２が第２レンズ２の保持縁２ａの前面２ｃを押圧する。この押圧突起３１２を介して加わる熱カシメ治具による押圧力は、第２レンズ２の保持縁２ａ、カラー２０のレンズ受け縁２２ｆ、２２ｒ、第１レンズ１の保持縁１ａ、レンズ保持部１１のレンズ受け面１１１ａ、荷重受け面１１１ｃの順に加わり、最後に、荷重受け面１１１ｃが載置されている図示しない載置面によって受け止められる。これによって、２枚のレンズ１、２の周方向における等間隔に離間した位置にレンズ室１１２の奥、すなわち、内フランジ１１１の方向へ向かっての押圧力が作用し、第１レンズ１の保持縁１ａの後面１ｂはレンズ保持枠１０のレンズ受け面１１１ａ、１１１ａ、１１１ａに確実に密接され、カラー２０のレンズ受け縁２２ｒ、２２ｒ、２２ｒは第１レンズ１の保持縁１ａの前面１ｃに確実に密接され、第２レンズ２の保持縁２ａの後面２ｂはカラー２０のレンズ受け縁２２ｆ、２２ｆ、２２ｆに確実に密接され、第２レンズ２の保持縁２ａの前面２ｃにカシメ片１１４、１１４、１１４が確実にカシメ付けられる。従って、第１レンズ１及び第２レンズ２は、軸倒れが生じることなく、且つ、心ずれも生じること無しに、レンズ保持枠１０に所定の間隔を置いて保持される。
【００３７】
上記した例では、カシメによって、レンズ１、２をレンズ保持枠１０に固定したが、レンズ１、２を接着によってレンズ保持枠１０に固定することも出来る。
【００３８】
すなわち、上記したのと同様に、下（後）から、第１レンズ１、カラー２０、第２レンズ２の順にレンズ室１１２内に挿入し、第２レンズ２の後面２ｂのカラー２０のレンズ受け縁２２ｆ、２２ｆ、２２ｆと当接している部分の反対側に位置する前面２ｃの部分を図示しない押え治具によって下方へ向けて押圧する。これによって、上記押え治具による押圧力が、第２レンズ２の保持縁２ａ、カラー２０のレンズ受け縁２２ｆ、２２ｒ、第１レンズ１の保持縁１ａ、レンズ保持部１１のレンズ受け面１１１ａ、荷重受け面１１１ｃの順に加わり、最後に、荷重受け面１１１ｃが載置されている図示しない載置面によって受け止められる。これによって、２枚のレンズ１、２の周方向における等間隔に離間した位置にレンズ室１１２の奥、すなわち、内フランジ１１１の方向へ向かっての押圧力が作用し、第１レンズ１の保持縁１ａの後面１ｂはレンズ保持枠１０のレンズ受け面１１１ａ、１１１ａ、１１１ａに確実に密接され、カラー２０のレンズ受け縁２２ｒ、２２ｒ、２２ｒは第１レンズ１の保持縁１ａの前面１ｃに確実に密接され、第２レンズ２の保持縁２ａの後面２ｂはカラー２０のレンズ受け縁２２ｆ、２２ｆ、２２ｆに確実に密接された状態となる。そこで、上記押え治具による押圧を継続したまま、レンズ保持枠１０のレンズ保持部１１の前端面に形成された凹部１１３、１１３、１１３に接着剤を流し込む。この流し込まれた接着剤が固化することによって凹部１１３、１１３、１１３の位置において第２レンズ２の保持縁２ａの外周面とレンズ保持枠１０のレンズ保持部１１との間が接着固化される。このように、接着によって第２レンズ２がレンズ保持枠１０のレンズ保持部１１に固定されることによって、第１レンズ１も第２レンズ２との間に所定の間隔を保った状態でレンズ保持枠１０のレンズ保持部１１に保持される。
【００３９】
なお、接着によってレンズ１、２をレンズ保持枠１０に固定する場合は、レンズ保持枠１０のカシメ片１１４、１１４、１１４は不要である。ただし、カシメ片１１４、１１４、１１４を有するレンズ保持枠１０を用意しておけば、カシメ付けによりレンズを固定するタイプのものでも、或いは、接着によりレンズを固定するタイプのもでも、所望に応じて形成することが出来る。また、カシメ付けと共に接着をも同時に採用することにより、より強固にレンズ１、２をレンズ保持枠１０に固定することが出来る。
【００４０】
図９に、上記したレンズ保持構造を適用した本発明撮像装置の実施の形態を示す。
【００４１】
撮像装置４０は撮影レンズ４１と、上記撮影レンズ４１によって形成された光学像を電気的な信号に変換する撮像素子４２、４２、４２とを備える。
【００４２】
撮影レンズ４１は４群から成るズームタイプの撮影レンズであり、レンズ鏡筒４１１内に物体側から順に、固定の第１レンズ群Ｇ１、光軸方向に移動して変倍作用を行う第２レンズ群Ｇ２、固定の第３レンズ群Ｇ３、変倍時における像面位置の変動の補償と近距離合焦のために光軸方向に移動する第４レンズ群Ｇ４が配列されて成り、第３レンズ群Ｇ３の物体側に絞り機構Ｓが固定的に配置されている。そして、第４レンズ群Ｇ４の像側に色分解プリズム４３が配置され、該色分解プリズム４３のＲ、Ｇ、Ｂ各色光の出力面に対向して各別の撮像素子４２、４２、４２が配置されている。
【００４３】
上記撮像装置４０において、第４レンズ群Ｇ４を構成するレンズの保持に上記したレンズ保持構造が適用されている。レンズ鏡筒４１１内には２本のガイド軸４１２、４１３が光軸方向に延びて配置されており、レンズ保持枠１０のガイド筒１３がガイド軸４１３に摺動自在に外嵌されており、また、ガイド用切欠１４がガイド軸４１２に摺動自在に係合されている。そして、レンズ保持枠１０のレンズ保持部１１に第４レンズ群Ｇ４を構成する２枚のレンズ１、２がカラー２０によって互いの間隔を規定された状態で保持されている。そして、第４レンズ群Ｇ４は２本のガイド軸４１２、４１３に案内されて光軸方向に移動自在とされる。また、例えば、レンズ保持枠１０のガイド筒１３に卷回したコイルをレンズ鏡筒４１１に固定された磁石による磁束中に配置し、上記コイルに適宜に通電すること等の適宜の手段により光軸方向に駆動される。第２レンズ群Ｇ２も第４レンズ群Ｇ４とほぼ同様な構造によりガイド軸４１２、４１３に沿って移動可能とされ、且つ、適宜の駆動手段によって光軸方向に駆動される。
【００４４】
図１０に本発明撮像装置４０のブロック図を示す。
【００４５】
この実施の形態にかかる撮像装置４０は、図１０に示すように、大きく分けると、カメラ部５０と、カメラＤＳＰ（Digital Signal Processor）５１と、ＳＤＲＡＭ（Synchronous Dynamic Random Access Memory）５２と、媒体インターフェース（以下、媒体Ｉ／Ｆという。）５３と、制御部５４と、操作部５５と、ＬＣＤ（Liquid Crystal Display）５６と、外部インターフェース（以下、外部Ｉ／Ｆという。）５７を備えるとともに、記録媒体５８が着脱可能とされている。
【００４６】
記録媒体５８は、半導体メモリーを用いたいわゆるメモリーカード、記録可能なＤＶＤ（Digital Versatile Disk）や記録可能なＣＤ（Compact Disc）等の光記録媒体、磁気ディスクなどの種々のものを用いることができるが、この実施の形態においては、記録媒体５８として、例えば、メモリーカードを用いるものとして説明する。
【００４７】
そして、カメラ部５０は、撮影レンズ４１を含む光学ブロック５０１、ＣＣＤ（Charge Coupled Device）４２、前処理回路５０２、光学ブロック用ドライバ５０３、ＣＣＤ用ドライバ５０４、タイミング生成回路５０５等を備えたものである。そして、Ｒ、Ｇ、Ｂそれぞれの色毎に分解された画像を取り入れた後、各色の画像を重ね合わせて一のカラー画像情報を生成するので、Ｒ、Ｇ、Ｂ各色毎に個別のＣＣＤ４２が設けられる。
【００４８】
また、制御部５４は、ＣＰＵ（Central Processing Unit）５４１、ＲＡＭ（Random Access Memory）５４２、フラッシュＲＯＭ（Read Only Memory）５４３、時計回路５４４等が、システムバス５４５を通じて接続されて構成されたマイクロコンピュータであり、この実施の形態の撮像装置４０の各部を制御することができるものである。
【００４９】
ここで、ＲＡＭ５４２は、処理の途中結果を一時記憶するなど主に作業領域として用いられるものである。また、フラッシュＲＯＭ５４３は、ＣＰＵ５４１において実行する種々のプログラムや、処理に必要になるデータなどが記憶されたものである。また、時計回路５４４は、現在年月日、現在曜日、現在時刻を提供することができるとともに、撮影日時などを提供するなどのことができるものである。
【００５０】
そして、画像の撮影時においては、光学ブロック用ドライバ５０３は、制御部５４からの制御に応じて、光学ブロック５０１を動作させるようにする駆動信号を形成し、これを光学ブロック５０１に供給して、光学ブロック５０１を動作させるようにする。光学ブロック５０１は、光学ブロック用ドライバ５０３からの駆動信号に応じて、フォーカス機構、シャッター機構、絞り機構が制御され、被写体の画像を取り込んで、これをＣＣＤ４２に対して提供する。
【００５１】
ＣＣＤ４２は、光学ブロック５０１からの画像を光電変換して出力するものであり、ＣＣＤ用ドライバ５０４からの駆動信号に応じて動作し、光学ブロック５０１からの被写体の画像を取り込むとともに、制御部５４によって制御されるタイミング生成回路５０５からのタイミング信号に基づいて、取り込んだ被写体の画像（画像情報）を電気信号として前処理回路５０２に供給する。
【００５２】
なお、上述したように、タイミング生成回路５０５は、制御部５４からの制御に応じて、所定のタイミングを提供するタイミング信号を形成するものである。また、ＣＣＤ用ドライバ５０４は、タイミング生成回路５０５からのタイミング信号に基づいて、ＣＣＤ４２に供給する駆動信号を形成するものである。
【００５３】
前処理回路５０２は、これに供給された電気信号の画像情報に対して、ＣＤＳ（Correlated Double Sampling）処理を行って、Ｓ／Ｎ比を良好に保つようにするとともに、ＡＧＣ（Automatic Gain Control）処理を行って、利得を制御し、そして、Ａ／Ｄ（Analog/Digital）変換を行って、デジタル信号とされた画像データを形成する。
【００５４】
前処理回路５０２からのデジタル信号とされた画像データは、カメラＤＳＰ５１に供給される。カメラＤＳＰ５１は、これに供給された画像データに対して、ＡＦ（Auto Focus）、ＡＥ（Auto Exposure）、ＡＷＢ（Auto White Balance）などのカメラ信号処理を施す。このようにして種々の調整がされた画像データは、所定の圧縮方式でデータ圧縮され、システムバス５４５、媒体Ｉ／Ｆ５３を通じて、この実施の形態の撮像装置４０に装填された記録媒体５８に供給され、後述もするように記録媒体５８にファイルとして記録される。
【００５５】
また、記録媒体５８に記録された画像データは、タッチパネルやコントロールキーなどからなる操作部５５を通じて受け付けたユーザーからの操作入力に応じて、目的とする画像データが媒体Ｉ／Ｆ５３を通じて記録媒体５８から読み出され、これがカメラＤＳＰ５１に供給される。
【００５６】
カメラＤＳＰ５１は、記録媒体５８から読み出され、媒体Ｉ／Ｆ５３を通じて供給されたデータ圧縮されている画像データについて、そのデータ圧縮の解凍処理（伸張処理）を行い、解凍後の画像データをシステムバス５４５を通じて、ＬＣＤコントローラ５６１に供給する。ＬＣＤコントローラ５６１は、これに供給された画像データからＬＣＤ５６に供給する画像信号を形成し、これをＬＣＤ５６に供給する。これにより、記録媒体５８に記録されている画像データに応じた画像が、ＬＣＤ５６の表示画面に表示される。
【００５７】
なお、画像の表示の形態は、ＲＯＭに記録された表示処理プログラムに従う。つまり、この表示処理プログラムは後述するファイルシステムがどのような仕組みで記録されているのか、どのように画像を再生するのかというプログラムである。
【００５８】
また、この実施の形態にかかる撮像装置４０には、外部Ｉ／Ｆ５７が設けられている。この外部Ｉ／Ｆ５７を通じて、例えば、外部のパーソナルコンピュータと接続して、パーソナルコンピュータから画像データの供給を受けて、これを自機に装填された記録媒体５８に記録したり、また、自機に装填された記録媒体５８に記録されている画像データを外部のパーソナルコンピュータ等に供給したりすることもできるものである。
【００５９】
また、外部Ｉ／Ｆ５７に通信モジュールを接続することにより、例えば、インターネットなどのネットワークに接続して、ネットワークを通じて種々の画像データやその他の情報を取得し、自機に装填された記録媒体５８に記録したり、あるいは、自機に装填された記録媒体５８に記録されているデータを、ネットワークを通じて目的とする相手先に送信したりすることもできるものである。
【００６０】
また、外部のパーソナルコンピュータやネットワークを通じて取得し、記録媒体に記録した画像データなどの情報についても、上述したように、この実施の形態の撮像装置において読み出して再生し、ＬＣＤ５６に表示してユーザーが利用することももちろんできるようにされている。
【００６１】
なお、外部Ｉ／Ｆ５７は、ＩＥＥＥ（Institute of Electrical and Electronics Engineers）１３９４、ＵＳＢ（Universal Serial Bus）などの有線用インターフェースとして設けることも可能であるし、光や電波による無線インターフェースとして設けることも可能である。すなわち、外部Ｉ／Ｆ５７は、有線、無線のいずれのインターフェースであってもよい。
【００６２】
このように、この実施の形態にかかる撮像装置４０は、被写体の画像を撮影して、当該撮像装置４０に装填された記録媒体５８に記録することができるとともに、記録媒体５８に記録された画像データを読み出して、これを再生し、利用することができるものである。また、外部のパーソナルコンピュータやネットワークを通じて、画像データの提供を受けて、これを自機に装填された記録媒体５８に記録したり、また、読み出して再生したりすることもできるものである。
【００６３】
なお、上記撮像装置４０において、撮像手段としてＣＣＤを示したが、本発明撮像装置における撮像手段がＣＣＤに限られることを意味するものではない。ＣＣＤの他に、ＣＭＯＳ(Complementary Metal-Oxide Semiconductor)やその他の撮像素子を使用することもできる。
【００６４】
また、本発明レンズ保持構造の適用例として撮像装置を示したが、本発明レンズ保持構造は複数枚のレンズを組み合わせた光学系を使用する光学製品に広く適用することが出来る。
【００６５】
なお、上記した各実施の形態における各部の具体的形状及び構造は、何れも本発明を実施するに際して行う具体化のほんの一例を示したものに過ぎず、これらによって本発明の技術的範囲が限定的に解釈されることがあってはならないものである。  
【産業上の利用可能性】
【００６６】
本発明は、複数枚のレンズを組み合わせた光学系を使用する光学製品に適用して、互いに所定の間隔を開けて配置されるレンズ間の心ずれや軸倒れを無くして所望の光学性能を発揮するのに寄与する。
【図面の簡単な説明】
【００６７】
【図１】図２乃至図８と共に本発明レンズ保持構造の実施の形態を示すものであり、本図は縦断面図である。
【図２】正面図である。
【図３】第２レンズを除去して示す斜視図である。
【図４】分解斜視図である。
【図５】図６及び図７と共にレンズ保持枠を示すものであり、本図は前側から見た斜視図である。
【図６】正面図である。
【図７】後側から見た斜視図である。
【図８】カシメ工程を示す要部の拡大断面図である。
【図９】図１０と共に本発明撮像装置の実施の形態を示すものであり、本図は撮影レンズを示す縦断面図である。
【図１０】ブロック図である。
【図１１】従来のレンズ保持構造の一例を示す概略断面図である。
【符号の説明】
【００６８】
１…第１レンズ、１ａ…保持縁、２…第２レンズ、２ａ…保持縁、２ｃ…前面（他方の面）、１０…レンズ保持枠、１１１ａ…レンズ受け面、１１１ｃ…荷重受け面、１１２…レンズ室、１１３…凹部（位置決め目印）、１１４…カシメ片、２０…カラー、２１…切欠（位置決め標識）、２２ｒ…レンズ受け縁、２２ｆ…レンズ受け縁、４０…撮像装置、４１…撮影レンズ、４２…撮像素子
【図１】
2006162696.tif 000003
【図２】
2006162696.tif 000004
【図３】
2006162696.tif 000005
【図４】
2006162696.tif 000006
【図５】
2006162696.tif 000007
【図６】
2006162696.tif 000008
【図７】
2006162696.tif 000009
【図８】
2006162696.tif 000010
【図９】
2006162696.tif 000011
【図１０】
2006162696.tif 000012
【図１１】
2006162696.tif 000013
【手続補正書】
【提出日】平成17年6月23日(2005.6.23)
【手続補正１】
【補正対象書類名】特許請求の範囲
【補正対象項目名】全文
【補正方法】変更
【補正の内容】
【特許請求の範囲】
【請求項１】
少なくとも２枚のレンズを光軸方向に所定の間隔を置いて配置且つ保持するレンズ保持構造であって、
それぞれ周縁部に保持用の保持縁を有する第１レンズ及び第２レンズと、これら２枚のレンズを嵌合保持するレンズ保持枠と、上記２枚のレンズの間の間隔を規定するカラーとを備え、
上記レンズ保持枠はほぼ円柱状を為すレンズ室を有し、レンズ保持枠の一端部又は一端寄りの位置において、該レンズ室の内周面から内方へ突出したレンズ受け面が周方向にほぼ等間隔に間隔を置いて複数形成され、
上記レンズ保持枠の他端側から見える位置に位置決め目印が形成され、
上記カラーは略環状に形成されると共に、両端にそれぞれレンズ受け縁が軸方向に複数突出され、
上記カラーには、そのレンズ受け縁と上記レンズ受け面との位置が周方向において一致したときに上記位置決め目印と周方向において位置が一致する位置決め標識が形成され、
上記カラーの位置決め標識と上記レンズ保持枠の位置決め目印との位置が周方向において一致した状態で、上記第１レンズの保持縁が上記レンズ保持枠のレンズ受け面と上記カラーの一方のレンズ受け縁との間で挟持され、上記第２レンズの保持縁の一方の面が上記カラーの他方のレンズ受け縁に当接した状態で、上記第１レンズ及び第２レンズがレンズ保持枠に支持される
ことを特徴とするレンズ保持構造。
【請求項２】
上記レンズ保持枠の他端部に周方向における位置が上記レンズ受け面の周方向における位置と一致したカシメ片が形成され、
上記第２レンズの保持縁の他方の面上にカシメ付けられた上記カシメ片と上記カラーの他方のレンズ受け縁とによって上記第２レンズの保持縁が保持される
ことを特徴とする請求項１に記載のレンズ保持構造。
【請求項３】
上記レンズ保持枠の前端面のうち隣接するレンズ受け面の間の位置に相当する位置に上記位置決め目印とされる凹部がレンズ室の内周面に開口して形成され、
上記凹部内に充填された接着剤によって上記第２レンズが保持枠に固定される
ことを特徴とする請求項１に記載のレンズ保持構造。
【請求項４】
上記レンズ保持枠の他端部に周方向における位置が上記レンズ受け面の周方向における位置と一致したカシメ片が形成され、
上記レンズ保持枠の前端面のうち隣接するレンズ受け面の間の位置に相当する位置に上記位置決め目印とされる凹部がレンズ室の内周面に開口して形成された
ことを特徴とする請求項１に記載のレンズ保持構造。
【請求項５】
撮影レンズと、上記撮影レンズによって形成された光学像を電気的な信号に変換する撮像素子とを備えた撮像装置であって、
上記撮影レンズを構成するレンズのうち少なくとも２枚のレンズ（一方のレンズを「第１レンズ」と称し、他方のレンズを「第２レンズ」と称する）が光軸方向に所定の間隔を置いて配置され、
上記第１レンズ及び第２レンズはそれぞれ周縁部に保持用の保持縁を有していて、カラーによって間隔を規定された状態でレンズ保持枠に保持され、
上記レンズ保持枠はほぼ円柱状を為すレンズ室を有し、レンズ保持枠の一端部又は一端寄りの位置において、該レンズ室の内周面から内方へ突出したレンズ受け面が周方向にほぼ等間隔に間隔を置いて複数形成され、
上記レンズ保持枠の他端側から見える位置に位置決め目印が形成され、
上記カラーは略環状に形成されると共に、両端にそれぞれレンズ受け縁が軸方向に複数突出され、
上記カラーには、そのレンズ受け縁と上記レンズ受け面との位置が周方向において一致したときに上記位置決め目印と周方向において位置が一致する位置決め標識が形成され、
上記カラーの位置決め標識と上記レンズ保持枠の位置決め目印との位置が周方向において一致した状態で、上記第１レンズの保持縁が上記レンズ保持枠のレンズ受け面と上記カラーの一方のレンズ受け縁との間で挟持され、上記第２レンズの保持縁の一方の面が上記カラーの他方のレンズ受け縁に当接した状態で、上記第１レンズ及び第２レンズがレンズ保持枠に支持される
ことを特徴とする撮像装置。
【請求項６】
上記レンズ保持枠の他端部に周方向における位置が上記レンズ受け面の周方向における位置と一致したカシメ片が形成され、
上記第２レンズの保持縁の他方の面上にカシメ付けられた上記カシメ片と上記カラーの他方のレンズ受け縁とによって上記第２レンズの保持縁が保持される
ことを特徴とする請求項５に記載の撮像装置。
【請求項７】
上記レンズ保持枠の前端面のうち隣接するレンズ受け面の間の位置に相当する位置に上記位置決め目印とされる凹部がレンズ室の内周面に開口して形成され、
上記凹部内に充填された接着剤によって上記第２レンズがレンズ保持枠に固定される
ことを特徴とする請求項５に記載の撮像装置。
【請求項８】
上記レンズ保持枠の他端部に周方向における位置が上記レンズ受け面の周方向における位置と一致したカシメ片が形成され、
上記レンズ保持枠の前端面のうち隣接するレンズ受け面の間の位置に相当する位置に上記位置決め目印とされる凹部がレンズ室の内周面に開口して形成された
ことを特徴とする請求項５に記載の撮像装置。
【手続補正２】
【補正対象書類名】明細書
【補正対象項目名】００１１
【補正方法】変更
【補正の内容】
【００１１】
本発明レンズ保持構造は、上記した課題を解決するために、それぞれ周縁部に保持用の保持縁を有する第１レンズ及び第２レンズと、これら２枚のレンズを嵌合保持するレンズ保持枠と、上記２枚のレンズの間の間隔を規定するカラーとを備え、上記レンズ保持枠はほぼ円柱状を為すレンズ室を有し、レンズ保持枠の一端部又は一端寄りの位置において、該レンズ室の内周面から内方へ突出したレンズ受け面が周方向にほぼ等間隔に間隔を置いて複数形成され、上記レンズ保持枠の他端側から見える位置に位置決め目印が形成され、上記カラーは略環状に形成されると共に、両端にそれぞれレンズ受け縁が軸方向に複数突出され、上記カラーには、そのレンズ受け縁と上記レンズ受け面との位置が周方向において一致したときに上記位置決め目印と周方向において位置が一致する位置決め標識が形成され、上記カラーの位置決め標識と上記レンズ保持枠の位置決め目印との位置が周方向において一致した状態で、上記第１レンズの保持縁が上記レンズ保持枠のレンズ受け面と上記カラーの一方のレンズ受け縁との間で挟持され、上記第２レンズの保持縁の一方の面が上記カラーの他方のレンズ受け縁に当接した状態で、上記第１レンズ及び第２レンズがレンズ保持枠に支持される。
【手続補正３】
【補正対象書類名】明細書
【補正対象項目名】００１２
【補正方法】変更
【補正の内容】
【００１２】
また、本発明撮像装置は、上記した課題を解決するために、撮影レンズと、上記撮影レンズによって形成された光学像を電気的な信号に変換する撮像素子とを備え、上記撮影レンズを構成するレンズのうち少なくとも２枚のレンズ（一方のレンズを「第１レンズ」と称し、他方のレンズを「第２レンズ」と称する）が光軸方向に所定の間隔を置いて配置され、上記第１レンズ及び第２レンズはそれぞれ周縁部に保持用の保持縁を有していて、カラーによって間隔を規定された状態でレンズ保持枠に保持され、上記レンズ保持枠はほぼ円柱状を為すレンズ室を有し、レンズ保持枠の一端部又は一端寄りの位置において、該レンズ室の内周面から内方へ突出したレンズ受け面が周方向にほぼ等間隔に間隔を置いて複数形成され、上記レンズ保持枠の他端側から見える位置に位置決め目印が形成され、上記カラーは略環状に形成されると共に、両端にそれぞれレンズ受け縁が軸方向に複数突出され、上記カラーには、そのレンズ受け縁と上記レンズ受け面との位置が周方向において一致したときに上記位置決め目印と周方向において位置が一致する位置決め標識が形成され、上記カラーの位置決め標識と上記レンズ保持枠の位置決め目印との位置が周方向において一致した状態で、上記第１レンズの保持縁が上記レンズ保持枠のレンズ受け面と上記カラーの一方のレンズ受け縁との間で挟持され、上記第２レンズの保持縁の一方の面が上記カラーの他方のレンズ受け縁に当接した状態で、上記第１レンズ及び第２レンズがレンズ保持枠に支持される。
【手続補正４】
【補正対象書類名】明細書
【補正対象項目名】００１３
【補正方法】変更
【補正の内容】
【００１３】
従って、本発明にあっては、レンズ保持枠のレンズ受け面とカラーの両端に形成されたレンズ受け縁が軸方向に整列された状態で、２枚のレンズがカラーによって互いの間隔を規定された状態でレンズ保持枠の唯一のレンズ室内に保持される。
【手続補正５】
【補正対象書類名】明細書
【補正対象項目名】００１４
【補正方法】変更
【補正の内容】
【００１４】
本発明レンズ保持構造は、少なくとも２枚のレンズを光軸方向に所定の間隔を置いて配置且つ保持するレンズ保持構造であって、それぞれ周縁部に保持用の保持縁を有する第１レンズ及び第２レンズと、これら２枚のレンズを嵌合保持するレンズ保持枠と、上記２枚のレンズの間の間隔を規定するカラーとを備え、上記レンズ保持枠はほぼ円柱状を為すレンズ室を有し、レンズ保持枠の一端部又は一端寄りの位置において、該レンズ室の内周面から内方へ突出したレンズ受け面が周方向にほぼ等間隔に間隔を置いて複数形成され、上記レンズ保持枠の他端側から見える位置に位置決め目印が形成され、上記カラーは略環状に形成されると共に、両端にそれぞれレンズ受け縁が軸方向に複数突出され、上記カラーには、そのレンズ受け縁と上記レンズ受け面との位置が周方向において一致したときに上記位置決め目印と周方向において位置が一致する位置決め標識が形成され、上記カラーの位置決め標識と上記レンズ保持枠の位置決め目印との位置が周方向において一致した状態で、上記第１レンズの保持縁が上記レンズ保持枠のレンズ受け面と上記カラーの一方のレンズ受け縁との間で挟持され、上記第２レンズの保持縁の一方の面が上記カラーの他方のレンズ受け縁に当接した状態で、上記第１レンズ及び第２レンズがレンズ保持枠に支持されることを特徴とする。
【手続補正６】
【補正対象書類名】明細書
【補正対象項目名】００１５
【補正方法】変更
【補正の内容】
【００１５】
また、本発明撮像装置は、撮影レンズと、上記撮影レンズによって形成された光学像を電気的な信号に変換する撮像素子とを備えた撮像装置であって、上記撮影レンズを構成するレンズのうち少なくとも２枚のレンズ（一方のレンズを「第１レンズ」と称し、他方のレンズを「第２レンズ」と称する）が光軸方向に所定の間隔を置いて配置され、上記第１レンズ及び第２レンズはそれぞれ周縁部に保持用の保持縁を有していて、カラーによって間隔を規定された状態でレンズ保持枠に保持され、上記レンズ保持枠はほぼ円柱状を為すレンズ室を有し、レンズ保持枠の一端部又は一端寄りの位置において、該レンズ室の内周面から内方へ突出したレンズ受け面が周方向にほぼ等間隔に間隔を置いて複数形成され、上記レンズ保持枠の他端側から見える位置に位置決め目印が形成され、上記カラーは略環状に形成されると共に、両端にそれぞれレンズ受け縁が軸方向に複数突出され、上記カラーには、そのレンズ受け縁と上記レンズ受け面との位置が周方向において一致したときに上記位置決め目印と周方向において位置が一致する位置決め標識が形成され、上記カラーの位置決め標識と上記レンズ保持枠の位置決め目印との位置が周方向において一致した状態で、上記第１レンズの保持縁が上記レンズ保持枠のレンズ受け面と上記カラーの一方のレンズ受け縁との間で挟持され、上記第２レンズの保持縁の一方の面が上記カラーの他方のレンズ受け縁に当接した状態で、上記第１レンズ及び第２レンズがレンズ保持枠に支持されることを特徴とする。
【手続補正７】
【補正対象書類名】明細書
【補正対象項目名】００１７
【補正方法】変更
【補正の内容】
【００１７】
また、２枚のレンズは、レンズ保持枠のレンズ受け面とカラーの両端に形成されたレンズ受け縁が軸方向に整列された状態で保持されるため、第２レンズの保持縁のうちレンズ受け面に対応した箇所をレンズ受け面の方向へ押圧すれば、該押圧力が第２レンズの保持縁、カラーの他方のレンズ受け縁、カラーの一方のレンズ受け縁、レンズ保持枠のレンズ受け面の順に及ぶので、レンズ保持枠のレンズ受け面と第１レンズの保持縁の一方の面の間、第１レンズの保持縁の他方の面とカラーの一方のレンズ受け縁との間、カラーの他方のレンズ受け縁と第２レンズの保持縁の一方の面との間が密着し、これによって、２枚のレンズの軸倒れが回避される。
【手続補正８】
【補正対象書類名】明細書
【補正対象項目名】００１８
【補正方法】変更
【補正の内容】
【００１８】
請求項２及び請求項６に記載した発明にあっては、上記レンズ保持枠の他端部に周方向における位置が上記レンズ受け面の周方向における位置と一致したカシメ片が形成され、上記第２レンズの保持縁の他方の面上にカシメ付けられた上記カシメ片と上記カラーの他方のレンズ受け縁とによって上記第２レンズの保持縁が保持されるので、第２レンズを保持する構造が簡単である。
【手続補正９】
【補正対象書類名】明細書
【補正対象項目名】００２０
【補正方法】変更
【補正の内容】
【００２０】
請求項４及び請求項８に記載した発明にあっては、上記レンズ保持枠の他端部に周方向における位置が上記レンズ受け面の周方向における位置と一致したカシメ片が形成され、上記レンズ保持枠の前端面のうち隣接するレンズ受け面の間の位置に相当する位置に上記位置決め目印とされる凹部がレンズ室の内周面に開口して形成されたので、２枚のレンズの保持を、所望に応じて、カシメ及び／又は接着により行うことができる。
【手続補正１０】
【補正対象書類名】明細書
【補正対象項目名】００６８
【補正方法】変更
【補正の内容】
【００６８】
１…第１レンズ、１ａ…保持縁、２…第２レンズ、２ａ…保持縁、２ｃ…前面（他方の面）、１０…レンズ保持枠、１１１ａ…レンズ受け面、１１２…レンズ室、１１３…凹部（位置決め目印）、１１４…カシメ片、２０…カラー、２１…切欠（位置決め標識）、２２ｒ…レンズ受け縁、２２ｆ…レンズ受け縁、４０…撮像装置、４１…撮影レンズ、４２…撮像素子